【事件の表示】
　特願２０００−　９８３３８「弾球遊技機」拒絶査定不服審判事件〔平成１３年１０月　９日出願公開、特開２００１−２７６３２４〕について、次のとおり審決する。
【結　論】
　本件審判の請求は、成り立たない。
【理　由】
　
第一、手続きの経緯
　本願は、平成１２年３月３１日の出願であって、平成１４年１１月２８日付けで拒絶理由が通知され、これに対し、平成１５年１月３０日付けで手続補正がなされ、平成１５年１０月１５日付で拒絶査定がなされ、これに対し、同年１１月２０日に拒絶査定に対する審判請求がなされるとともに、同日付け手続補正書によって明細書の一部が補正されたものである。
　
第二、平成１５年１１月２０日付の手続補正についての補正却下の決定
［補正却下の決定の結論］
　平成１５年１１月２０日付の手続き補正を却下する。
［理由］
　（１）補正後の本願発明　　
　本件補正により、特許請求の範囲の請求項３乃至９は削除され、請求項１及び２のうちの請求項１は、「遊技機本体（１）に着脱自在に装着された遊技盤（３）に、該遊技盤（３）の上部側に遊技球を案内するガイドレール（１０）（１１）を備え、該ガイドレール（１０）（１１）の内側の遊技領域（１２）内に、発光ランプ（２７）を有し且つ前記遊技領域（１２）の左右の外周側近傍に配置された装飾手段（１６）と、該各装飾手段（１６）の内側に配置された遊技球検出手段（１４）（１７ａ）（１７ｂ）（１８）（６０）とを備えた弾球遊技機において、前記各装飾手段（１６）は、前記遊技盤（３）　の前面側に配置され且つ縦長円弧状に構成された装飾体（２６）を備え、前記遊技球検出手段（１４）（１７ａ）（１７ｂ）（１８）（６０）は、前記遊技盤（３）の前面側に配置され且つ遊技球が通過又は入賞可能なケース体（３０）（３２）を備え、前記各装飾体（２６）と前記ケース体（３０）（３２）とをその前部側及び後部側で連結する連結板（３６）〜（３８）を前記遊技盤（３）の前面側に沿って設けると共に、前記装飾体（２６）と前記ケース体（３０）（３２）とを前記連結板（３６）〜（３８）を介して合成樹脂材料により一体に成型し、後部側の前記連結板（３６）〜（３８）を前記遊技盤（３）の前面側に当接し、前後の前記連結板（３６）〜（３８）間を遊技球の通路（３９）〜（４１）としたことを特徴とする弾球遊技機。」と補正された。
　
　上記補正は、請求項の削除及び、
　補正前（平成１５年１月３０日付手続補正により補正された特許請求の範囲）の請求項１に記載された発明を特定するために必要な事項である「装飾体（２６）とケース体（３０）（３２）」について、補正前の請求項２に記載されたとおりの「前記装飾体（２６）と前記ケース体（３０）（３２）とを前記連結板（３６）〜（３８）を介して合成樹脂材料により一体に成型し、」と限定するものであるから、本件補正は、特許法第１７条の２第４項第１号の請求項の削除及び同条同項第２号の特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（平成１５年改正前特許法第１７条の２第５項において準用する同法第１２６条第４項の規定に適合するか）について以下に検討する。
　
　（あ）刊行物に記載された発明
刊行物１；特開平１０−１１３４２４号公報
刊行物２；特開平７−２３６７５１号公報
刊行物３；特開平６−４７１５７号公報
刊行物４；特開平９−１９２３０３号公報
刊行物５；特開平９−１３５９５４号公報
刊行物６；特許第２８０１０３５号公報（平成１０年９月２１日発行）
刊行物７；実公平７−２７９６６号公報
　
　原査定の拒絶理由通知に引用された特開平１０−１１３４２４号公報（以下、「引用刊行物１」という）には、以下の記載がある。
　「【００１８】遊技盤２の表面には、金属製の外バンド（遊技球案内部材）３３が図１の下端の左寄りから上部にかけて円弧状に配設固定されている。同時に当該外バンド３３の内側には、同じく金属製で円弧状の内バンド（遊技部区画部材）３５が、その上端を開いた状態で、横Ｃ字状に固定装備されている。
【００１９】そして、この外バンド３３と内バンド３５の一部とによって囲まれたほぼ円形部分が前述した遊技部５となっている。この遊技部５には、多数の障害釘（図示略）が植設され、同時に種々の役物装置等が配設されている。
【００２０】また、外バンド３３と内バンド３５の一部（図１中の左側部分）との間に設定された円弧状部分は、遊技球発射装置（図示略）から発射された遊技球（図示略）が上昇する遊技球上昇流路３７を構成している。この遊技球上昇流路３７の下端入口部分は、遊技盤２を遊技機に装着した状態で発射レール（図示略）の延長線上に位置している。」
　「【００２４】また、遊技部５の周縁部で特別図柄表示装置３１の左右両側には本発明の遊技部用表示装置（以下「サイドランプ」という）３ａ，３ｂがそれぞれ配設されている。そして、このサイドランプ３ａ，３ｂは遊技状態に応じて内部に装備されている光源が点灯や点滅動作を繰り返えして、装飾効果を高めるようになっている。更に、サイドランプ３ａ，３ｂには、遊技球の一部を入賞球Ｎ（図２参照）として受け入れる入賞部材６が装備されている。」　
　「【００２６】この図２に示すように、サイドランプ３ａは光源９ａやランプ基板１３（図３参照）等の種々の構成要素を収納するベース部材７と、このベース部材７の所定位置に装備されて遊技球を入賞球Ｎとして受け入れる入賞部材６と、この入賞部材６から受け入れられた入賞球Ｎを流下させる入賞球流路７ａを備えている。そして、ベース部材７の一方側（図２中の左方）は円弧状に構成されている。これは、後述するように、遊技部５に配設された円弧状の区隔部材（内バンド）３５（図１参照）に沿ってサイドランプ３ａを配設するためであり、該区隔部材３５の曲率に近い円弧となっている。
【００２７】また、サイドランプ３ａの遊技部５に露出する面のほぼ全体は、カバー部材１１及びベース部材７の一部分により覆われており、サイドランプ３ａがベース部材７を介して遊技部５に設置された場合には、ベース部材７の板状部７ｂが遊技盤２（図１及び図５参照）の表面とほぼ同一面となるように構成されている。
【００２８】以下にサイドランプ３ａの具体的形状及び構成について説明する。先ず、ベース部材７の内、入賞部材６が配設されている部分（図２中の右方）は入賞部材取付部８ａとなっている。この入賞部材取付部８ａは略円板状に構成され、同様に円形に形成された入賞部材６を担持している。また、入賞部材６の裏側にはベース部材７によって構成される入賞球流路７ａの一方端が形成されている。
【００２９】また、上記した入賞部材取付部８ａの左方は、ベース部材７の接合部８ｂとなっている。この接合部８ｂは、入賞球流路７ａの一部を構成し、より詳しくは入賞部取付部８ａ側と後述する流下部８ｃ側とを接合するものである。この接合部８ｂに形成されている入賞球流路７ａは、入賞部材６に形成されている入賞口（図４参照）から僅かに下方に傾斜して、流下部８ｃ側の入賞球流路７ａに接続されている。また、接合部８ｂにおける入賞球流路７ａは遊技盤２（図１参照）の表面より奥まった位置に形成されており、遊技盤２にサイドランプ３ａが設置された場合でも、この接合部８ｂの前面側（遊技者側）を横切って遊技球が流下できるようになっている。
【００３０】また、上記したベース部材７の流下部８ｃは、略垂直方向に延設されると共に、僅かに湾曲して構成されている。この流下部８ｃにおける入賞球流路７ａは、遊技盤２の表面とほぼ同一面上に構成されている。即ち、上記した接合部８ｂにおける入賞球流路７ａで一旦遊技盤２の後面側に入った入賞球Ｎが、流下部８ｃの入賞球流路７ａにおいて再び遊技盤２の前面側に出てくるようになっている。」
　「【００３２】また、入賞球流路７ａの前面には、透光性のカバー部材１１が配設されている。このカバー部材１１は、入賞球流路７ａの前面を覆うためのものである。詳しく説明すると、ベース部材７の接合部８ｂに配設されるカバー部材１１は、接合部８ｂとほぼ同一面上に配置されている。従って、このカバー部材１１の作用によって、接合部８ｂの前面を流下する遊技球は入賞球流路７ａに流入しない。」　
　「【００３６】また、入賞部材６について説明すると、入賞部材６は上部に入賞口（図４参照）が形成されており、この入賞口から遊技球が入賞球Ｎとして受け入れられるようになっている。また、入賞口には、入賞球Ｎの通過を検出してサイドランプ３ａ内に設けられている光源（ＬＥＤ）を発光させるための信号を出力する入賞球検出手段６ａが配設されている。この入賞球検出手段６ａが入賞球Ｎを検出した場合には、上記の他、特別図柄始動口４３の普通電動役物４５を開放させたり、また特別図柄表示装置３１や普通図柄表示装置４７を動作させるように所定の動作信号を送出するようにしてもよい。・・・
【００３７】・・・これらの図から判るように、サイドランプ３ａはベース部材７内に、ランプ基板１３と、このランプ基板１３に植設される光源９ａを備え、区隔部材３５（図１参照）により囲まれた遊技部５内の所定位置に当該区隔部材３５に沿って取り付けられる。
【００３８】ランプ基板１３上には、本実施形態では３個のＬＥＤが一列に設けられている。これは、遊技機の各種遊技状態を表示するために発光することはもちろん、上記した入賞球検出手段６ａによって入賞球Ｎが検出された場合に光源９ａを発光させ、入賞したことを表示すると共に、入賞球流路７ａを流下する入賞球Ｎを装飾するようになっている。また上記の他、入賞部材６から流下部８ｃに至るまでの間の入賞球流路７ａの近傍にも所定数の光源が配設されている。より詳しくは、当該入賞球流路７ａは透光性の部材で構成され、この入賞球流路７ａの裏面側に配設された光源（図示略）の発光により装飾されるようになっている。」
　「【００４４】〔遊技部への組み付け方法〕上記のように組み立てられたサイドランプ３ａ，３ｂを遊技部５に組み付ける場合について、図１及び図５に基づいて概説する。図１に示すように、サイドランプ３ａ，３ｂは特別図柄表示装置３１の左右両側に組み付けられるようになっている。具体的な組み付け方法としては、遊技部５の区隔部材３５の近傍に、この区隔部材３５に沿って所定の貫通孔（図示略）を形成する。・・・」　
　「【００４７】先ず、遊技中における特別図柄始動口４３への遊技球の入賞を条件として、所定数の賞球が排出されると共に特別図柄表示装置３１が動作する。この特別図柄表示装置３１は、所定時間の経過後に例えば３つの数字が任意の組み合わせで表示されるように構成されている。そして、すべての数字が同一になった場合等に、特別図柄表示装置３１の下方に配設されている大入賞口（アタッカー）３９が作動する。このとき、遊技者にとって有利な状態にあることを表示して興趣を高めるべく、サイドランプ３ａ，３ｂの光源９ａ（図３参照）が点滅するようになっている。
【００４８】また、本実施形態にかかる遊技機は、特別図柄表示装置３１の左右両側にサイドランプ３ａ，３ｂと一体的に入賞部材６を備えている。そして、遊技部５内の遊技球が入賞部材６に受け入れられた場合には、サイドランプ３ａ，３ｂが点滅すると共に、一定数の賞球が払い戻されるようになっている。」　
　「【００５１】図２に示すように、サイドランプ３ａに装備された入賞部材６に遊技球の一部が入賞球Ｎとして受け入れられる。この時、入賞部材６の入賞口（図示略）には入賞球検出手段６ａが配設されているので、入賞球Ｎの通過が検出される。そして、この検出情報は図示しない主制御部に送信され、主制御部の作用によってサイドランプ３ａ内に設けられている光源９ａ（図３参照）が発光して装飾効果を高める。また、入賞球検出手段６ａが入賞球Ｎを検出した場合には、上記の他、特別図柄始動口４３の普通電動役物４５を開放させたり、また特別図柄表示装置３１や普通図柄表示装置４７を動作させるように所定の動作信号を送出するようにしてもよい。」　
　「【００５５】
【発明の効果】以上のように本発明では、サイドランプを構成するベース部材に、遊技球を入賞球として受け入れる入賞部材と、入賞球を可視状態で流下させる入賞球流路とを備えた。このため、一般的な遊技部用表示装置として光を発生させて遊技盤及び遊技球を装飾するという効果はもちろんのこと、遊技者が入賞球流路内を流下する入賞球を視認できるので、通常のサイドランプや入賞部材と比較して遊技者の興趣を高めると共に飛躍的に遊技盤の装飾効果を高めることができる、という優れた効果を生じる。加えて、サイドランプに入賞部材を一体的に装備したので、遊技機の組立行程においては、その工程数が削減できるという優れた効果を生じる。・・・」　
　また、遊技盤を示す正面図である【図１】には「遊技盤２の上部側に遊技球を案内する外バンド３３及び内バンド３５」及び「外バンド３３及び内バンド３５の内側の遊技部５内に、光源９ａを有し且つ前記遊技部５の左右の外周側近傍に配置されたサイドランプ３ａ，３ｂ」並びに「各遊技部用表示装置（サイドランプ）３ａ，３ｂの内側に配置された入賞部材６，６」が記載され、図面全体には「遊技盤２の前面側に配置されたサイドランプ３ａ」及び「遊技盤２の前面側に配置された入賞部材６」が記載されている。　
　
　したがって、これらの記載をまとめると、引用刊行物１には、
「遊技機に装着された遊技盤２に、該遊技盤２の上部側に遊技球を案内する外バンド３３及び内バンド３５を固定し、該外バンド３３及び内バンド３５の内側の遊技部５内に、光源９ａを有し且つ前記遊技部５の左右の外周側近傍に配置されたサイドランプ３ａ，３ｂと、該各サイドランプ３ａ，３ｂの内側に配置された入賞部材６，６とを備えた遊技機において、
　前記サイドランプ３ａは遊技盤２の前面側に配置され、光源９ａ等を収納するベース部材７と、このベース部材７の所定位置に一体的に装備されて遊技球を入賞球Ｎとして受け入れる入賞部材６と、この入賞部材６から受け入れられた入賞球Ｎを流下させる入賞球流路７ａとを備え、　　
　遊技盤２の前面側に配置された入賞部材６には、上部に遊技球が入賞球Ｎとして受け入れられる入賞口が形成されており、
　前記ベース部材７の内、入賞部材６が配設されている部分は入賞部材取付部８ａとなっており、
　ベース部材７の接合部８ｂは、入賞部材取付部８ａ側と流下部８ｃ側とを接合するものであり、この接合部８ｂの前面側（遊技者側）を横切って遊技球が流下でき、
　ベース部材７の一方側の流下部８ｃは、略垂直方向に延設されると共に、僅かに湾曲して円弧状に構成されており、
　サイドランプに入賞部材を一体的に装備したので、遊技機の組立行程においては、その工程数が削減できる遊技機。」の発明（以下、「引用発明１」という）が記載されていると認められる。
　
　本願出願前に頒布された特開平７−２３６７５１号公報（以下、「引用刊行物２」という）には、以下の記載がある。
　「【０００７】パチンコ機は、外枠１と、該外枠１前面に配設される前枠２と、前枠２に着脱自在に取着される遊技板３と、前枠２の裏側に配設される機構板４と、から概略構成される。前記外枠１は、図２に示すように、長方形の枠形状であって木又は合成樹脂製である。」　
　「【０００９】前記遊技板３は、表面に入賞球受口器やガイドレールなどを設けると共に、裏面に入賞球を集める入賞球カバー１１を着脱自在に取り付けてなる。この遊技板３は桟部材６と発射基板７で囲われた部分に前枠２の裏側から着脱し得る。また、桟部材６と遊技板３には指掛け用の凹部１０が形成されていて、遊技板３の着脱を容易にしている。なお、遊技板３は前枠２の表側から着脱するようにしてもよい。」　
　
　したがって、引用刊行物２には、
「外枠１と、該外枠１前面に配設される前枠２と、前枠２に着脱自在に取着される遊技板３と、から概略構成されるパチンコ機」の発明（以下、「引用発明２」という）が記載されていると認められる。
　
　本願出願前に頒布された特開平６−４７１５７号号公報（以下、「引用刊行物３」という）には、以下の記載がある。
　「【０００５】そこで本発明は、遊技盤を簡単かつ能率良く着脱できる遊技盤の取付構造を提供することを目的としている。
【０００６】
【課題を解決するための手段】上記目的達成のため、本発明による遊技盤の取付構造は、遊技盤１３を、遊技機（例えば、パチンコ機１）の前面枠１１と一体成形されたフレーム７１に取り付ける遊技盤の取付構造であって、前記遊技盤１３の側方部を固定可能な固定部材（例えば、フック部材８１〜８３）を前記フレーム７１に設け、該固定部材により遊技盤１３をワンタッチで着脱可能に固定するようにしたことを特徴とする。」　
　
　したがって、引用刊行物３には、
「遊技機（例えば、パチンコ機１）の前面枠１１と一体成形されたフレーム７１に、遊技盤１３の側方部を固定可能な固定部材（例えば、フック部材８１〜８３）を設け、該固定部材により遊技盤１３をワンタッチで着脱可能に固定するようにした遊技盤の取付構造」の発明（以下、「引用発明３」という）が記載されていると認められる。
　
　本願出願前に頒布された特開平９−１９２３０３号公報（以下、「引用刊行物４」という）には、以下の記載がある。
　「【０００１】
【産業上の利用分野】本発明は、球逆流防止装置を備えた、いわゆるフィーバー機、権利物又はアレンジ遊技機等の弾発遊技機に関するものである。」
　「【０００７】図２（ａ）（ｂ）及び図３（ａ）〜（ｅ）に示す合成樹脂製の球逆流防止装置１の詳細について説明する。球逆流防止装置１は六面体構造とされ、そこに遊技球８が通過できるようなトンネル状の通路１０を外側レール５方向に沿って溝状に形成し、且つ、球逆流防止装置１を外側レール５の横幅とほぼ同一の横幅を有するように形成し、その高さは飛び出し口９の幅程度に形成し、その長さは遊技球の５球ないし７球程度になるように形成している。球逆流防止装置１の底面は、外側レール５の円弧内側表面に適合するように円弧状とされており、外側レール５の表面に通路１０の側から接着により固定している。その固定方法は接着に限定されるものではなく、接着に代えてボルト・ナットあるいは外側レール５と一体成型等種々の方法が挙げられる。また、球逆流防止装置１の材質は合成樹脂に限定されず、セラミック、軽金属等の他の材質も採用可能である。」　
　
　したがって、引用刊行物４には、
「外側レール５と一体成型等種々の方法で固定される合成樹脂製の球逆流防止装置１を備えた、弾発遊技機。」の発明（以下、「引用発明４」という）が記載されていると認められる。
　
　本願出願前に頒布された特開平９−１３５９５４号公報（以下、「引用刊行物５」という）には、以下の記載がある。
　「【０００１】
【発明の属する技術分野】本発明は、外枠の前面に合成樹脂製の前枠を開閉自在に取り付けてなるパチンコ機に関する。」　
　「【００１８】以上本発明を実施の形態について説明したが、もちろん本発明は上記実施形態に限定されるものではない。例えば、前記ロック部材１１は、前枠２と別体にしてビス止めする構成になっているが、合成樹脂製にして前枠２と一体成型してもよい。・・・」　
　
　したがって、引用刊行物５には、
「パチンコ機の合成樹脂製の前枠２と一体成型される、合成樹脂製のロック部材１１。」の発明（以下、「引用発明５」という）が記載されていると認められる。
　
　本願出願前に頒布された特許第２８０１０３５号公報（以下、「引用刊行物６」という）には、以下の記載がある。
　第１頁第２欄第１行乃至第２行には「（産業上の利用分野）
  この発明は、遊技機の変動入賞装置に関する。」と、　
　第４頁第７欄第４９行乃至第８欄第９行には「  第１、第２の特定入賞口５ａ，５ｂ，６は、第１２図のように遊技盤１に取付けられる基板８４に左右に第１の特定入賞口５ａ，５ｂが、中央に第２の特定入賞口６が一体的に形成され、第１の特定入賞口５ａ，５ｂに入賞球を検出するスイッチ（第１の特定入賞球検出スイッチ）８５ａ，８５ｂが、第２の特定入賞口６に入賞球を検出するスイッチ（第２の特定入賞球検出スイッチ）８６が設けられる。また、基板８４には各入賞口５ａ，５ｂ，６の前面および入賞口５ａ，５ｂ，６の間の流路８７ａ，８７ｂを覆う装飾板８８が取付けられ、装飾板８８の裏面および基板８４の裏面には左右に変動入賞装置４の作動表示ランプ８９ａ〜８９ｄが配設される（第１図参照）。」と、　
　第７頁第１４欄第６行乃至第１４行には「このようにして遊技が進められるのであり、遊技部３に設けた特定入賞口５ａ，５ｂ，６に打球が入賞して変動入賞装置４の可動球受部材２６ａ，２６ｂが１，２回開作動され、この開作動により遊技部３の上方より流下してきた打球が変動入賞装置４の開口部２０内に入賞し、・・・この転送により打球が凹室２２の後面上部に設けた特別入賞口４１に運良く入賞すると特別遊技が行われる。」と、記載されている。　
　また、遊技盤の正面図である第１図及び特定入賞口の斜視図である第１２図には、「特定入賞口５ａ，５ｂ及び特定入賞口６を備えた遊技部品」が示されている。
　
　したがって、引用刊行物６には、
「遊技盤１に取付けられる基板８４に左右に第１の特定入賞口５ａ，５ｂが、中央に第２の特定入賞口６が一体的に形成され、
　基板８４には各入賞口５ａ，５ｂ，６の前面および入賞口５ａ，５ｂ，６の間の流路８７ａ，８７ｂを覆う装飾板８８が取付けられ、装飾板８８の裏面および基板８４の裏面には左右に変動入賞装置４の作動表示ランプ８９ａ〜８９ｄが配設される、遊技機の遊技部材。」の発明（以下、「引用発明６」という）が記載されていると認められる。
　
　本願出願前に頒布された実公平７−２７９６６号公報（以下、「引用刊行物７」という）には、以下の記載がある。
　第１頁第２欄第１１行乃至第２頁第３欄第５行には「【考案の詳細な説明】
［利用分野］
この考案は、ガイドレールで囲まれた遊技領域内に打ち込まれた遊技球が所定の入賞領域に入賞することにより、遊技者に特別の利益を与えるようにされたパチンコ遊技機に適用して有効な技術に関し、特に遊技領域内に設けられた特定の入賞口への遊技球の入賞によって動作される可変表示装置とその特定態様の発生に伴なって動作される特別変動入賞装置とを備えたパチンコ遊技機に利用して有効な技術に関する。」と、
　第３頁第６欄第１６行乃至第３９行には「第３図〜第５図には、左右に特定入賞口１８を有する上記特別変動入賞装置５の第１の実施例が示されている。
特別変動入賞装置５を遊技盤１に取り付けるための取付基板５０の中央には、開閉可能な特別変動入賞装置受口５１を収納するため、横方向に細長い開口部５０ａが形成されている。・・・
取付基板５０中央の上記開口部５０ａの両側方には、前記第２特定入賞口１８を構成する入賞枠５３が一体に形成され、これらの入賞枠５３の前端開口部を覆うように装飾板６０が装着され、これによって上向きに開口する一対の第２特定入賞口１８が各々構成されている。
上記入賞枠５３の外側壁には、特別変動入賞装置受口５１が開状態にされたときなどに、点灯もしくは点滅される照明装置５５が装着されている。」と、
　第４頁第８欄第４４行乃至第４７行には「なお、特別変動入賞装置受口５１が閉じた状態では、上方から流下して来た打球は、特別変動入賞装置受口５１の前面と装飾板６０との間の空間を通過して下方のアウト口１０へ回収される。」と、それぞれ記載されている。　
　
　したがって、引用刊行物７には、
「特別変動入賞装置５を遊技盤１に取り付けるための取付基板５０の中央には、開閉可能な特別変動入賞装置受口５１を収納するため、横方向に細長い開口部５０ａが形成され、
　取付基板５０中央の上記開口部５０ａの両側方には、第２特定入賞口１８を構成する入賞枠５３が一体に形成され、これらの入賞枠５３の前端開口部を覆うように装飾板６０が装着され、
　上記入賞枠５３の外側壁には、特別変動入賞装置受口５１が開状態にされたときなどに、点灯もしくは点滅される照明装置５５が装着された特別変動入賞装置５を備え、
　特別変動入賞装置受口５１が閉じた状態では、上方から流下して来た打球は、特別変動入賞装置受口５１の前面と装飾板６０との間の空間を通過して下方のアウト口１０へ回収されるパチンコ遊技機。」の発明（以下、「引用発明７」という）が記載されていると認められる。
　
　（い）本願補正発明と引用発明１との比較・検討
　引用発明１を認定した引用刊行物１には「サイドランプ３ｂ」の構成について、「サイドランプ３ａ」についての記載と比較して、詳細には記載されていないが、【図１】には「サイドランプ３ａ」と「サイドランプ３ｂ」とが左右対称であって、ともに「入賞部材６」を備えて記載されているから、当業者の技術常識によれば、「サイドランプ３ａ」と「サイドランプ３ｂ」とが同様の構造を備えていると解することができる。
　そこで、本願補正発明と引用発明１とを比較・検討すると、引用発明１の「遊技機」は、本願補正発明の「弾球遊技機」に相当し、以下同様に、「遊技盤２」は「遊技盤（３）」に、「遊技球」は「遊技球」に、「外バンド３３及び内バンド３５」は「ガイドレール（１０）（１１）」に、「遊技部５」は「遊技領域（１２）」に、「光源」は「発光ランプ（２７）」に、「入賞部材６，６」は「遊技球検出手段（１４）（１７ａ）（１７ｂ）（１８）（６０）」に、「ベース部材７」は「装飾体（２６）」に、「遊技球が入賞球Ｎとして受け入れられる入賞口」は「遊技球が入賞可能なケース体（３０）（３２）」に、それぞれ相当する。
　そして、引用発明１の「入賞部材６が一体的に装備されるサイドランプ３ａ，３ｂ」は、光源９ａ等を収納するベース部材７とこのベース部材７の所定位置に装備されて遊技球を入賞球Ｎとして受け入れる入賞部材６とを備えているから、本願補正発明の「装飾手段（１６）と、各装飾手段（１６）の内側に配置された遊技球検出手段（１４）（１７ａ）（１７ｂ）（１８）（６０）とを備え」の技術事項を有していると認められる。また、同「入賞部材６が一体的に装備されるサイドランプ３ａ，３ｂ」は、「ベース部材７の一方側の流下部８ｃは、略垂直方向に延設されると共に、僅かに湾曲して円弧状に構成され」ているのであるから、本願補正発明の「各装飾手段（１６）は、前記遊技盤（３）に配置され且つ縦長円弧状に構成された装飾体（２６）を備え」の技術事項を有していると認められる。さらに、同「入賞部材６が一体的に装備されるサイドランプ３ａ，３ｂ」は、サイドランプ３ａ，３ｂに備えられたベース部材７の入賞部材取付部８ａで入賞部材６を担持しているから、本願補正発明の「装飾体（２６）とケース体（３０）（３２）とを連結板（３６）〜（３８）を介して合成樹脂材料により一体に成型し、」と比較して「装飾体（２６）とケース体（３０）（３２）とを一体とし、」において一致している。
　そうすると、両者の一致点及び相違点は次のとおりである。
　
　一致点
　遊技盤に、該遊技盤の上部側に遊技球を案内するガイドレールを備え、該ガイドレールの内側の遊技領域内に、発光ランプを有し且つ前記遊技領域の左右の外周側近傍に配置された装飾手段と、該各装飾手段の内側に配置された遊技球検出手段とを備えた弾球遊技機において、
　前記各装飾手段は、前記遊技盤に配置され且つ縦長円弧状に構成された装飾体を備え、前記遊技球検出手段は、前記遊技盤の前面側に配置され且つ遊技球が入賞可能なケース体を備え、前記装飾体と前記ケース体とを一体とした、弾球遊技機。
　
　相違点
　（Ａ）遊技盤が、本願補正発明では遊技機本体に着脱自在に装着されるのに対し、引用発明１では着脱自在に装着されるかどうか明らかでない点。
　（Ｂ）ケース体が、本願補正発明では遊技球が通過又は入賞可能であるのに対し、引用発明１では入賞可能である点。
　（Ｃ）本願補正発明では、遊技盤の前面側に配置された各装飾体とケース体とをその前部側及び後部側で連結する連結板を遊技盤の前面側に沿って設けると共に、前記装飾体と前記ケース体とを前記連結板を介して合成樹脂材料により一体に成型し、後部側の前記連結板を前記遊技盤の前面側に当接し、前後の前記連結板間を遊技球の通路としたのに対し、引用発明１ではサイドランプ３ａ，３ｂの接合部８ｂの前面側（遊技者側）を横切って遊技球が流下できる点。
　
　そこで、上記相違点について検討する。
　相違点（Ａ）について
　遊技機本体に着脱自在に装着される遊技盤は、例えば引用発明２に示された「遊技板３」及び引用発明３に示された「遊技盤１３」のように周知・慣用の技術であるから、弾球遊技機において共通する当該技術を引用発明１に適用し相違点（Ａ）に係る本願補正発明を特定する事項とすることは、当業者が容易になし得ることである。　
　相違点（Ｂ）について
　遊技球が通過又は入賞可能である開口部を遊技盤に設けることは弾球遊技機においては技術常識であるから、弾球遊技機において共通する当該技術を引用発明１に適用して、相違点（Ｂ）に係る本願補正発明を特定する事項とすることは、当業者が容易になし得たものである。
　相違点（Ｃ）について　
　遊技盤の前面側に複数の遊技部品を配置し、当該遊技部品を前部側及び後部側で連結する連結板を遊技盤の前面側に沿って設けると共に、前記連結板を介して一体に構成し、後部側の前記連結板を前記遊技盤の前面側に当接し、前後の前記連結板間を遊技球の通路とした遊技部材は、例えば、引用発明６に示された「装飾板８８（前部側連結板）と基板８４（後部側連結板）との間を流路８７ａ，８７ｂ（通路）とし、入賞口５ａ，５ｂ，６及び作動表示ランプを備えた遊技機の遊技部材。」及び引用発明７に示された「装飾板６０（前部側連結板）と取付基板５０（後部側連結板）との間を打球が通過する空間（通路）とし、第２特定入賞口１８及び照明装置５５を備えたパチンコ遊技機の特別変動入賞装置５。」のように周知・慣用の技術（以下、「周知・慣用の技術イ」という）である。そして、弾球遊技機の分野において複数の部材を合成樹脂材料により一体に成型することは、例えば、引用発明４に示された「外側レール５と球逆流防止装置１」及び引用発明５に示された「前枠２と合成樹脂製のロック部材１１」のように周知・慣用の技術（以下、「周知・慣用の技術ロ」という）である。したがって、引用発明１の「入賞部材６が一体的に装備され、前面側（遊技者側）を横切って遊技球が流下できるサイドランプ３ａ，３ｂ」に周知・慣用の技術イ及び周知・慣用の技術ロを適用し、相違点（Ｃ）に係る本願補正発明を特定する事項とすることは、引用発明１及び周知・慣用の技術イ並びに周知・慣用の技術ロが弾球遊技機において共通しているから、当業者が容易になし得ることである。
　
　また、効果においても、引用発明１は「サイドランプに入賞部材を一体的に装備したので、遊技機の組立行程においては、その工程数が削減できる」ものであるから、本願補正発明が格別の効果を奏するものとは認められない。
　
　したがって、本願補正発明は、引用発明１及び周知・慣用の技術に基づいて、当業者が容易に発明をすることができたものであるから、特許法第２９条第２項の規定により特許出願の際独立して特許を受けることができないものである。
　
　（う）むすび
　以上のとおり、本件補正は、平成１５年改正前特許法第１７条の２第５項で準用する同法第１２６条第４項の規定に違反するものであり、特許法第１５９条第１項で準用する特許法第５３条第１項の規定により却下されるべきものである。
　
第三、本願発明について
　平成１５年１１月２０日付けの手続き補正は上記のとおり却下されたので、本願の請求項１乃至９に係る発明は、上記平成１５年１月３０日付けで補正された明細書の記載からみて、その特許請求の範囲の請求項１乃至９に記載されたとおりのものと認められるところ、その請求項１に記載された発明は次のとおりのものである。
　「遊技機本体（１）に着脱自在に装着された遊技盤（３）に、該遊技盤（３）の上部側に遊技球を案内するガイドレール（１０）（１１）を備え、該ガイドレール（１０）（１１）の内側の遊技領域（１２）内に、発光ランプ（２７）を有し且つ前記遊技領域（１２）の左右の外周側近傍に配置された装飾手段（１６）と、該各装飾手段（１６）の内側に配置された遊技球検出手段（１４）（１７ａ）（１７ｂ）（１８）（６０）とを備えた弾球遊技機において、前記各装飾手段（１６）は、前記遊技盤（３）の前面側に配置され且つ縦長円弧状に構成された装飾体（２６）を備え、前記遊技球検出手段（１４）（１７ａ）（１７ｂ）（１８）（６０）は、前記遊技盤（３）の前面側に配置され且つ遊技球が通過又は入賞可能なケース体（３０）（３２）を備え、前記各装飾体（２６）と前記ケース体（３０）（３２）とをその前部側及び後部側で連結する連結板（３６）〜（３８）を前記遊技盤（３）の前面側に沿って設けると共に、後部側の前記連結板（３６）〜（３８）を前記遊技盤（３）の前面側に当接し、前後の前記連結板（３６）〜（３８）間を遊技球の通路（３９）〜（４１）としたことを特徴とする弾球遊技機。」（以下、「本願発明」という）
　
　（あ）引用刊行物に記載された発明
　原査定の拒絶理由通知に引用された刊行物と本願出願前に頒布された刊行物及びその記載事項は前記「第二、（２）（あ）」に記載したとおりである。
　
　（い）本願発明と引用発明との対比・判断
　本願補正発明は、本願発明を特定するために必要な事項である「装飾体（２６）とケース体（３０）（３２）」について、補正前の請求項２に記載されたとおりの「前記装飾体（２６）と前記ケース体（３０）（３２）とを前記連結板（３６）〜（３８）を介して合成樹脂材料により一体に成型し、」と限定するものである。
　そうすると、本願発明の発明特定事項を全て含み、さらに他の発明特定事項を付加したものに相当する本願補正発明が、前記「第二、（２）（い）」に記載したとおり、引用発明１及び周知・慣用の技術に基づいて、当業者が容易に発明をすることができたものであるから、本願発明も、同様の理由により、引用発明１及び周知・慣用の技術に基づいて、当業者が容易に発明をすることができたものである。
　
　（う）むすび
　以上のとおり、本願発明は、引用発明１及び周知・慣用の技術に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。